(57)【特許請求の範囲】
【請求項１】
複数の被監視装置と、これら複数の被監視装置を集中監視する集中監視装置とを含む警報収集システムであって、前記複数の被監視装置の各々は、異常発生を検出して警報信号を送出する複数の検出手段と、前記警報信号に応答して自己の被監視装置に固有の被監視装置ＩＤを生成する被監視装置ＩＤ生成手段と、前記警報信号に応答して前記複数の検出手段それぞれに固有の複数の警報種別ＩＤを生成する警報種別ＩＤ生成手段と、前記被監視装置ＩＤと前記警報種別ＩＤとを合成して前記集中監視装置に送出する送出手段とを含み、
前記複数の被監視装置の各々は、前記警報信号が複数同時に発生した場合には、予め定めた前記複数の検出手段の優先順位に応じてこの優先順位の最も高い前記警報種別ＩＤを選択する選択手段を更に含み、前記送出手段は、この選択された警報種別ＩＤと前記被監視装置ＩＤとを合成して前記集中監視装置に送出することを特徴とする警報収集システム。
【請求項２】
前記選択手段は、予め定めた前記複数の検出手段の優先順位に応じてこの優先順位の最も高い前記警報種別ＩＤを選択するための選択信号を生成する選択信号生成手段と、前記選択信号に応じて前記警報種別ＩＤを選択する選択部とを含むことを特徴とする請求項１記載の警報収集システム。
【請求項３】
前記複数の検出手段の各々は、異常発生を検出して警報信号を出力する検出部と、この検出部からの前記警報信号をパルス化して出力する微分回路とを含むことを特徴とする請求項１又は２記載の警報収集システム。
【請求項４】
前記集中監視装置は、前記送出手段から送出された合成ＩＤを収集処理する警報収集処理手段と、この警報収集処理手段により収集処理された合成ＩＤに応じて前記複数の被監視装置を監視する監視手段とを含むことを特徴とする請求項１〜３いずれか記載の警報収集システム。
【請求項５】
前記警報収集処理手段は、前記複数の被監視装置それぞれに固有の前記被監視装置ＩＤを保持し、この保持内容と前記合成ＩＤが有する被監視装置ＩＤとを照合し、一致すると判断された時、前記合成ＩＤをそのまま通し、不一致であると判断された時、前記合成ＩＤを抑止するデコード手段を含むことを特徴とする請求項４記載の警報収集システム。
【請求項６】
前記被監視装置ＩＤ生成手段は、前記複数の検出手段から送出される警報信号を論理和演算する論理和回路と、この論理和出力に応答して前記被監視装置ＩＤを生成する被監視装置ＩＤ生成回路と、前記論理和出力を少なくとも前記被監視装置ＩＤと同一ビット数引き延ばす引き延ばし回路と、この引き延ばされた論理和出力の存在期間だけ前記被監視装置ＩＤを通す選択部とを含むことを特徴とする請求項１〜５いずれか記載の警報収集システム。
【請求項７】
前記警報種別ＩＤ生成手段は、前記複数の検出手段から送出される警報信号を少なくとも前記被監視装置ＩＤと同一ビット数シフトする複数のシフト回路と、この複数のシフト回路の出力に応答して前記警報種別ＩＤを生成する複数の警報種別ＩＤ生成回路とを含み、前記送出手段は前記被監視装置ＩＤの後に前記警報種別ＩＤを付加してシリアルに送出するようにしたことを特徴とする請求項６記載の警報収集システム。
【請求項８】
前記集中監視装置は、前記複数の被監視装置とシリアル警報バスを介して接続されることを特徴とする請求項７記載の警報収集システム。
【発明の詳細な説明】
【０００１】
【発明が属する技術分野】
本発明は警報収集システムに関し、特に複数の被監視装置と、これら複数の被監視装置を集中監視する集中監視装置とを含む警報収集システムに関する。
【０００２】
【従来の技術】
従来技術として特開平１１−７３５８３に開示の警報収集システムがある。図５はこの公報に開示の警報収集システムの構成を示すブロック図である。図５を参照すると、複数の被監視装置５−１−１〜５−１−ｎ（ｎは２以上の整数）からの警報信号を警報収集処理部５−２においてまとめ、監視部５−３へ送出する構成となっている。被監視装置５−１−１〜５−１−ｎは、データ等を処理するパッケージ化された構成、あるいは、複数のスロットにボードを挿入して構成したユニット等のある装置の構成単位を示すものであり、被監視装置５−１−１〜５−１−ｎ内の各々の異常発生を検出する検出部５−５と、この検出部５−５からの警報信号を微分してパルス化する微分回路５−６とを備えている。
【０００３】
また、警報収集処理部５−２は、警報バス５−４を介して入力されたパルス化警報信号をラッチ部５−７によりラッチし、そのラッチ出力を警報信号として監視部５−３へ送出し、リセット部５−８によりラッチ部５−７をリセットする。被監視装置５−１−１〜５−１−ｎと警報収集処理部５−２とを警報バス５−４を介して接続したことにより、増設被監視装置５−１−（ｎ＋ｍ）は、警報バス５−４に接続するだけで済むため、システム規模の拡張に容易に対処できる。また、警報収集処理部５−２は、警報バス５−４との接続用の１個の端子を設けるだけで済むため構成が簡単となる。
【０００４】
図６は図５の警報収集システムの動作を説明するためのタイミングチャートである。例えば、被監視装置５−１−１の検出部５−５において、異常発生が検出されて警報信号５−▲１▼が送出されると、微分回路５−６により警報信号５−▲１▼が微分されパルス化される。そして、警報信号５−▲１▼の立上り時点のパルス化警報信号５−▲２▼が送出される。また、警報信号５−▲１▼を出力中に、他の被監視装置５−１−２の検出部５−５において、異常発生が検出されて警報信号５−▲３▼が送出されると、微分回路５−６により警報信号５−▲３▼が微分されてパルス化警報信号５−▲４▼が送出される。
【０００５】
従って、警報バス５−４を介して警報収集処理部５−２に入力されるパルス化警報信号５−▲５▼は、被監視装置５−１−１からのパルス化警報信号５−▲２▼と被監視装置５−１−２からのパルス化警報信号５−▲４▼とを含むものとなる。そして、警報収集処理部５−２のラッチ部５−７によりラッチされて監視部５−３にパルス化警報信号５−▲７▼として送出される。このラッチ部５−７は、リセット部５−８からのリセット信号５−▲６▼によりリセットされるものであり、リセット部５−８は、ラッチ部５−７に入力されるパルス化警報信号５−▲５▼を反転してリセット信号５−▲６▼を形成し、その立上りタイミングでラッチ部５−７をリセットする構成となっている。
【０００６】
図７は従来の警報収集システムの他の構成を示すブロック図である。複数の被監視装置の各々の内で複数の状態を監視する必要がある場合、従来の警報収集システムの構成では、図７に示すように、警報の種類が判別できるように被監視装置７−１−１〜７−１−ｎの各々の内で監視したい状態の数（例えば、検出部７−２〜７−４または微分回路７−５〜７−７の数）と同数の警報バス７−１３〜７−１５を設け、これら警報バス７−１３〜７−１５に微分回路７−５〜７−７をそれぞれ接続して、また、警報収集処理部７−８のラッチ部＋リセット部７−９〜７−１１を警報バス７−１３〜７−１５にそれぞれ接続している。
【０００７】
【発明が解決しようとする課題】
図５に示した従来例においては、監視部５−３に送出されるパルス化警報信号５−▲７▼は各検出部５−５等が検出した異常状態を単純に微分したものであり、ここからは警報発生のタイミング情報しか読みとれない。このため複数の被監視装置５−１−１〜５−１−ｎに警報信号が発生した場合、監視部５−３は、どの被監視装置から発生した警報信号であるかを判別する事が出来ないという欠点がある。
【０００８】
また、複数の被監視装置の各々の内で複数の状態を監視する必要がある場合、図７に示した警報収集システムの構成をとることになる。すなわち、被監視装置７−１−１の検出部７−２〜７−４が異常発生を検出すると、微分回路７−５〜７−７からパルス化警報信号がそれぞれ出力される。これらのパルス化警報信号は微分回路７−５〜７−７で単純に微分されているのみであり、警報の種類を判別するためには、検出部７−２〜７−４と同数の警報バス７−１３〜７−１５を、警報収集処理部７−８ではラッチ部＋リセット部７−９〜７−１１を用意する必要があり、パッケージの実装上の制限が発生する可能性があるという欠点がある。さらに、装置の仕様変更等により監視する項目が増えた場合、ハードウエアに及ぼす影響が大きくなるという欠点がある。
【０００９】
本発明の目的は、どの被監視装置からの警報であるかを特定し、かつその警報の種類を特定することが可能な警報収集システムを提供することである。
【００１０】
本発明の他の目的は、従来技術で構成した場合と比較して簡単な構成とすることが可能な警報収集システムを提供することである。
【００１１】
【課題を解決するための手段】
本発明の警報収集システムは、複数の被監視装置と、これら複数の被監視装置を集中監視する集中監視装置とを含む警報収集システムであって、前記複数の被監視装置の各々は、異常発生を検出して警報信号を送出する複数の検出手段と、前記警報信号に応答して自己の被監視装置に固有の被監視装置ＩＤを生成する被監視装置ＩＤ生成手段と、前記警報信号に応答して前記複数の検出手段それぞれに固有の複数の警報種別ＩＤを生成する警報種別ＩＤ生成手段と、前記被監視装置ＩＤと前記警報種別ＩＤとを合成して前記集中監視装置に送出する送出手段とを含み、前記複数の被監視装置の各々は、前記警報信号が複数同時に発生した場合には、予め定めた前記複数の検出手段の優先順位に応じてこの優先順位の最も高い前記警報種別ＩＤを選択する選択手段を更に含み、前記送出手段は、この選択された警報種別ＩＤと前記被監視装置ＩＤとを合成して前記集中監視装置に送出することを特徴とする。
【００１３】
さらに、前記警報収集システムにおいて、前記被監視装置ＩＤ生成手段は、前記複数の検出手段から送出される警報信号を論理和演算する論理和回路と、この論理和出力に応答して前記被監視装置ＩＤを生成する被監視装置ＩＤ生成回路と、前記論理和出力を少なくとも前記被監視装置ＩＤと同一ビット数引き延ばす引き延ばし回路と、この引き延ばされた論理和出力の存在期間だけ前記被監視装置ＩＤを通す選択部とを含むことを特徴とする。
【００１４】
そしてさらに、前記警報収集システムにおいて、前記警報種別ＩＤ生成手段は、前記複数の検出手段から送出される警報信号を少なくとも前記被監視装置ＩＤと同一ビット数シフトする複数のシフト回路と、この複数のシフト回路の出力に応答して前記警報種別ＩＤを生成する複数の警報種別ＩＤ生成回路とを含み、前記送出手段は前記被監視装置ＩＤの後に前記警報種別ＩＤを付加してシリアルに送出するようにしたことを特徴とする。
【００１５】
さらにはまた、前記警報収集システムにおいて、前記集中監視装置は、前記複数の被監視装置とシリアル警報バスを介して接続されることを特徴とする。
【００１６】
本発明の作用は次の通りである。被監視装置の各々において、警報信号の生成に応答してシリアルの被監視装置ＩＤを生成し、またこの警報信号の種別に従ってシリアルの警報種別ＩＤを生成する。これ等両ＩＤをシリアルに合成して、シリアル警報バスを介して監視部へ送出する。監視部では、これ等両ＩＤにより、警報が発生した被監視装置とその警報種別とを特定することが可能となる。この場合、１つの被監視装置において、同時に複数の警報が発生した時には、予め定められた優先順位に従って、１つの警報のみを選択して出力する。かかる構成とすることにより、簡単な構成で、警報発生装置と、その種別とが容易に特定可能となるのである。
【００１７】
【発明の実施の形態】
以下に、本発明の実施例について図面を用いて説明する。図１は本発明の実施例による警報収集システムの構成を示すブロック図である。被監視装置１−１−１〜１−１−ｎで検出された警報をシリアル警報バス１−２４を介して送出し、警報収集処理部１−２５でまとめ監視部１−２８に送出する警報収集システムである。
【００１８】
被監視装置１−１−１〜１−１−ｎは、データ等を処理するパッケージ化された構成、あるいは、複数のスロットにボードを挿入して構成したユニット等のある装置の構成単位を示すものである。複数の被監視装置１−１−１〜１−１−ｎの各々の内部には、検出手段として、複数個（例えば４個）の異常発生を検出するための検出部１−１〜１−４と、警報の状態変化を捕らえるために検出部１−１〜１−４と同数の微分回路１−５〜１−８とが備えられている。
【００１９】
また、被監視装置１−１−１〜１−１−ｎの各々の内部には、被監視装置ＩＤ生成手段として、微分回路１−５〜１−８の出力であるパルス化警報信号を論理和演算する論理和（ＯＲ）ゲート１−１３と、この論理和出力に応答して自己の被監視装置に固有の被監視装置ＩＤを生成する被監視装置ＩＤ生成回路１−１５と、被監視装置ＩＤを警報バス１−２４に挿入する際に必要なタイミング作成のために、論理和出力を被監視装置ＩＤのビット数（例えば４ビット）と同一のビット数引き延ばす４ビット引き延ばし回路１−１４と、この引き延ばされた論理和出力により被監視装置ＩＤを通す選択（ＳＥＬ）部１−２３とが備えられている。
【００２０】
なお、この被監視装置ＩＤのビット数は被監視装置の数に対応したビット数であれば良く、４ビットの場合には、２の４乗（１６）個の被監視装置に対応できるものである。
【００２１】
さらにはまた、被監視装置１−１−１〜１−１−ｎの各々の内部には、警報種別ＩＤ生成手段として、パルス化警報信号を被監視装置ＩＤと同一ビット数シフト（遅延）する４ビットシフト部１−９〜１−１２と、このシフトされたパルス化警報信号に応答して検出部１−１〜１−４それぞれに固有の警報種別ＩＤを生成する警報種別ＩＤ生成回路１−１６〜１−１９とが備えられている。
【００２２】
そしてさらに、被監視装置１−１−１〜１−１−ｎの各々の内部には、選択手段として、緊急度の高い異常発生を優先的に集中監視装置に通知するために、シフトされたパルス化警報信号を優先処理する優先処理部１−２０と、警報種別ＩＤを警報バス１−２４に挿入する際に必要なタイミング作成のために、優先処理されたパルス化警報信号を警報種別ＩＤのビット数（例えば４ビット）と同一のビット数を引き延ばす４ビット引き延ばし回路１−２２と、この４ビット引き延ばし回路１−２２の出力である選択信号に応じて警報種別ＩＤ生成回路１−１６〜１−１９からの警報種別ＩＤの中から一の警報種別ＩＤを選択するＳＥＬ部１−２１とが備えられている。
【００２３】
この警報種別ＩＤのビット数についても、検出部１−１〜１−４がそれぞれ検出する警報種別の数に対応することは勿論である。また、優先処理部１−２０はＲＯＭ（読出し専用メモリ）で構成されており、入力されたパルス化警報信号に応じて、予め定められた最優先の警報信号に対応した警報種別ＩＤを選択するための信号１−（１２）を出力するようになっている。
【００２４】
またさらに、被監視装置１−１−１〜１−１−ｎの各々の内部には、送出手段として、ＳＥＬ部１−２１及び１−２３の出力である警報種別ＩＤと被監視装置ＩＤとを論理和演算して合成ＩＤとしてシリアル警報バス１−２４に送出するＯＲゲート１−２９が備えられている。
【００２５】
集中監視装置は、警報収集処理部１−２５と、監視部１−２８とを有する。警報収集処理部１−２５には、デコード手段として、シリアル警報バス１−２４を介して送られてくる合成ＩＤの被監視装置ＩＤ部分の正常性を確認するデコード部１−３０が備えられている。このデコード部１−３０には、直列信号である合成ＩＤを並列信号に変換する直−並列（Ｓ／Ｐ）変換回路１−２６と、被監視装置ＩＤを保持して、この保持内容と変換された合成ＩＤの被監視装置ＩＤ部分とを照合する論理ゲート部１−２７と、この論理ゲート部１−２７から送出される検出一致信号を合成ＩＤのビット数（例えば８ビット）と同一のビット数を引き延ばす８ビット引き延ばし回路１−３１と、この引き延ばされた検出一致信号と合成ＩＤとを論理積演算する論理積（ＡＮＤ）ゲート１−３２とが備えられ、監視部１−２８が要求するインタフェースに変換するフォーマット変換部１−３３が備えられている。
【００２６】
また、論理ゲート部１−２７には、被監視装置ＩＤを保持し、この保持ＩＤとＳ／Ｐ変換回路１−２６から出力されたパラレルＩＤとを比較して、一致した時に検出一致信号をそれぞれ出力する論理ゲート１−２７−１〜１−２７−ｎと、これらの出力を論理和演算するＯＲゲート１−５０とが備えられている。
【００２７】
図２は本発明の実施例による動作を説明するためのタイミングチャートである。なお、図２において、１−（２）〜１−（１６）は図１に示されている１−（２）〜１−（１６）に対応しており、１−（１）は被監視装置１−１−１〜１−１−ｎ、警報収集処理部１−２５及び監視部１−２８に共通のシステムクロックであり、監視状態（警報状態）の変化検出のため、被監視装置１−１−１〜１−１−ｎから警報収集処理部１−２５への警報情報を転送のため、さらに警報収集処理部１−２５から監視部１−２８への警報転送のために使用される同期クロックである。
【００２８】
まず、検出部１−１が異常発生を検出し、警報信号をＩＤ情報化して警報バス１−２４に送出するまでの動作を説明する。図２において、検出部１−１が異常発生を検出し警報状態を出力する様子を１−（２）に示す。ここでは非警報状態（警報無し）を“Ｌ（ロー）”、警報状態（警報有り）を“Ｈ（ハイ）”として示している。微分回路１−５がこの警報信号１−（２）を共通クロック１−（１）で微分した結果を１−（３）に示す。微分されたパルス化警報信号１−（３）は、４入力のＯＲゲート１−１３に入力される。ここでは、いかなる微分回路１−５〜１−８からのパルス化警報信号に対しても被監視装置に固有の被監視装置ＩＤを生成する必要があるため、ＯＲゲート１−１３による構成となっている。
ＯＲゲート１−１３から出力された信号１−（４）は被監視装置ＩＤ生成回路１−１５のロード（ＬＯＡＤ）端子に入力される。図３は本実施例による被監視装置と被監視装置ＩＤとの対応を示す図であり、被監視装置を１５個とした場合を示している。図３において、被監視装置１−１−１には被監視装置ＩＤとして“０００１”を割り当てられており、よって被監視装置ＩＤ生成回路１−１５の初期値も“０００１”が設定されている。結果として、被監視装置ＩＤ生成回路１−１５から被監視装置ＩＤ“０００１”１−（５）が出力される。生成した被監視装置ＩＤ１−（５）を警報バス１−２４に挿入するためのタイミングパルスとして、４ビット引き延ばし回路１−１４が信号１−（４）を４ビット引き延ばし、被監視装置ＩＤ選択信号１−（６）を出力する。この被監視装置ＩＤ選択信号１−（６）の存在期間、ＳＥＬ部１−２３は被監視装置ＩＤ１−（５）を通す。
【００２９】
また、微分回路１−５の出力であるパルス化警報信号１−（３）は、警報種別ＩＤを挿入する位置の関係から、４ビットシフト部１−９により１−（７）に示すように４ビット（クロック４個分）遅延した位置に出力される。警報種別ＩＤ生成回路１−１６は、検出部１−１で検出される警報信号に対応した警報種別ＩＤ（例えば４ビットからなる）を保持しており、入力信号１−（７）が警報種別ＩＤ生成回路１−１６のＬＯＡＤ端子に入力される事により、警報信号に固有の（検出部１−１に固有の）警報種別ＩＤ１−（１１）が出力される。
【００３０】
本実施例による構成では、被監視装置１−１−１〜１−１−ｎ内で同時に発生した警報信号に対しては優先処理を行い、優先順位の最も高い警報信号を転送する構成としてある。図４は本実施例による優先処理部１−２０の優先処理動作を説明するための図である。図４において、検出部１−１に対し１番高い優先順位を与え、以下検出部１−２，１−３，１−４という優先順位をつけている。検出部１−１のみに警報が発生している（図４中の“１”は検出部の異常検出状態を示す）場合は、入力パタン１が示すように優先処理部１−２０からは、１６進法表記で１（ｈ）の信号１−（１２）が出力される。警報種別ＩＤ１−（１１）をシリアル警報バス１−２４に挿入するためのタイミングパルスとして、４ビット引き延ばし回路１−２２が信号１−（１２）を４ビット引き延ばし、警報種別ＩＤ選択信号１−（１３）を出力する。この警報種別ＩＤ選択信号１−（１３）に応じて、ＳＥＬ部１−２１は警報種別ＩＤ１−（１１）を選択して、送出する。
【００３１】
仮に検出部１−２，１−３が同時に異常発生を検出した場合は、図４の入力パタン６により２（ｈ）が出力され、ＳＥＬ部１−２１は警報種別ＩＤ生成回路１−１７からの警報種別ＩＤを選択する事となる。
【００３２】
ＳＥＬ部１−２３及び１−２１からそれぞれ送出される被監視装置ＩＤ１−（１４）及び警報種別ＩＤ１−（１５）は、それぞれＯＲゲート１−２９に入力され、論理和演算の結果、被監視装置ＩＤの後に警報種別ＩＤを付加した合成ＩＤ１−（１６）としてシリアルにシリアル警報バス１−２４に送出される。
【００３３】
次に、シリアル警報バス１−２４を介して警報収集処理部１−２５に入力される合成ＩＤ１−（１６）が監視部１−２８に転送されるまでの動作について説明する。シリアル警報バス１−２４を経由した合成ＩＤ１−（１６）は、警報収集処理部１−２５に入力される。デコード部１−３０では、被監視装置ＩＤが図３の内容と照合され、一致の場合のみフォーマット変換部１−３３へ合成ＩＤが送出される。フォーマット変換部１−３３では、合成ＩＤが監視部１−２８の要求する信号形式に変換される。
【００３４】
デコード部１−３０はＳ／Ｐ変換回路１−２６を備え、シリアル警報バス１−２４から送出されるシリアル合成ＩＤ１−（１６）を常時パラレル変換している。論理ゲート部１−２７は被監視装置ＩＤ検出用の論理ゲート１−２７−１〜１−２７−ｎで構成されている。これ等各論理ゲート１−２７−１〜１−２７−ｎは、被監視装置１−１−１〜１−１−ｎにそれぞれ対応して設けられており、対応被監視装置のＩＤを予め保持しており、入力されるパラレル変換された合成ＩＤの被監視装置ＩＤ部分と保持されているＩＤとをそれぞれ比較して、一致検出をなすものである。被監視装置ＩＤが検出されるとＯＲゲート１−５０を経て検出一致信号１−（１７）が送出される。８ｂｉｔ引き延ばし回路１−３１は検出一致信号１−（１７）を８ビット引き延ばして、引き延ばされた検出一致信号１−（１８）をＡＮＤゲート１−３２に送出する。
【００３５】
ＡＮＤゲート１−３２は、論理ゲート部１−２７において被監視装置ＩＤが一致する場合は、シリアル警報バス１−２４からの合成ＩＤ１−（１６）をフォーマット変換部１−３３に送出する。逆に、被監視装置ＩＤが不一致である場合は、シリアル警報バス１−２４からの合成ＩＤ１−（１６）をマスクする。
【００３６】
その後、フォーマット変換部１−３３は、ＡＮＤゲート１−３２の出力である合成ＩＤ１−（１６）を監視部１−２８の要求する信号形式に変換し、監視部１−２８に送出する。
【００３７】
【発明の効果】
本発明による第一の効果は、どの被監視装置からの警報であるか、及びその警報の種類を特定することができることである。その理由は、警報信号に被監視装置に固有の被監視装置ＩＤと警報内容に固有の警報種別ＩＤとを付加するためである。
【００３８】
本発明による第二の効果は、被監視装置内で複数の警報を収集する場合、従来技術で構成した場合と比較して簡単な構成の警報収集システムを実現することができることである。その理由は、警報信号に警報種別ＩＤをシリアルに付加することで、一のシリアル警報バスのみを介して警報内容を特定することができるためである。
【図面の簡単な説明】
【図１】本発明の実施例の警報収集システムの構成を示すブロック図である。
【図２】本発明の実施例の警報収集システムの動作を説明するためのタイミングチャートである。
【図３】本発明の実施例の被監視装置と被監視装置ＩＤとの対応を示す図である。
【図４】本発明の実施例の優先処理部１−２０の優先処理動作を説明するための図である。
【図５】従来の警報収集システムの構成を示すブロック図である。
【図６】従来の警報収集システムの動作を説明するためのタイミングチャートである。
【図７】従来の警報収集システムの他の構成を示すブロック図である。
【符号の説明】
１−１−１〜１−１−ｎ    被監視装置
１−１〜１−４    検出部
１−５〜１−８    微分回路
１−９〜１−１２    ４ビットシフト回路
１−１３    論理和（ＯＲ）ゲート
１−１４、１−２２    ４ビット引き延ばし回路
１−１５    被監視装置ＩＤ生成回路
１−１６〜１−１９    警報種別ＩＤ生成回路
１−２０    優先処理部（ＲＯＭ）
１−２１、１−２３    選択（ＳＥＬ）部
１−２４    シリアル警報バス
１−２５    警報収集処理部
１−２６    直−並列（Ｓ／Ｐ）変換回路
１−２７    論理ゲート部
１−２７−１〜１−２７−ｎ    論理ゲート
１−２８    監視部
１−２９    論理和（ＯＲ）ゲート
１−３０    デコード部
１−３１    ８ビット引き延ばし回路
１−３２    論理積（ＡＮＤ）ゲート
１−３３    フォーマット変換部
１−５０    論理和（ＯＲ）ゲート
【図１】
0003853573.tif 000002
【図２】
0003853573.tif 000003
【図３】
0003853573.tif 000004
【図４】
0003853573.tif 000005
【図５】
0003853573.tif 000006
【図６】
0003853573.tif 000007
【図７】
0003853573.tif 000008